(57)【要約】【課題】  異なる位置に位置決めされた原稿を鮮明に読み取ることができ小型化が可能な画像読み取り装置、画像形成装置、及び異なる位置に位置決めされた原稿を鮮明に読み取ることができる画像読み取り装置または画像形成装置を小型化するための密着型リニアイメージセンサモジュールを提供する。【解決手段】  第一密着型リニアイメージセンサと、第二密着型リニアイメージセンサと、前記第一密着型リニアイメージセンサの受光面と前記第二密着型リニアイメージセンサの受光面とを異なる方向に向けた姿勢で、前記第一密着型リニアイメージセンサと前記第二密着型リニアイメージセンサとを相共に移動させるキャリアと、を備える。【選択図】    図１
2006025309.tif 000002
【特許請求の範囲】
【請求項１】
第一密着型リニアイメージセンサと、
第二密着型リニアイメージセンサと、
前記第一密着型リニアイメージセンサの受光面と前記第二密着型リニアイメージセンサの受光面とを異なる方向に向けた姿勢で、前記第一密着型リニアイメージセンサと前記第二密着型リニアイメージセンサとを相共に移動させるキャリアと、
を備えることを特徴とする画像読み取り装置。
【請求項２】
前記第一密着型リニアイメージセンサは、透過原稿用であり、
前記第二密着型リニアイメージセンサは、反射原稿用であることを特徴とする請求項１に記載の画像読み取り装置。
【請求項３】
前記キャリアは、前記第一密着型リニアイメージセンサと前記第二密着型リニアイメージセンサとを搭載するキャリッジと、前記キャリッジを移動させるアクチュエータとを有し、
前記第一密着型リニアイメージセンサの受光面は、鉛直方向のいずれか一方を向いた姿勢で前記キャリッジに搭載され、
前記第二密着型リニアイメージセンサの受光面は、鉛直方向のいずれか他方を向いた姿勢で前記キャリッジに搭載されていることを特徴とする請求項１または２に記載の画像読み取り装置。
【請求項４】
前記第一密着型リニアイメージセンサに読み取られる透過原稿を照明する照明部を更に備え、
前記キャリアは、前記第一密着型リニアイメージセンサと前記第二密着型リニアイメージセンサとを搭載するキャリッジと、前記キャリッジを移動させるアクチュエータとを有し、
前記照明部の少なくとも一部は、前記アクチュエータと水平方向に並んで配置されていることを特徴とする請求項１または２に記載の画像読み取り装置。
【請求項５】
前記第一密着型リニアイメージセンサに読み取られる透過原稿を照明する照明部と、
電子回路が形成されている少なくとも１つの基板とを更に備え、
前記照明部の少なくとも一部は、前記基板のうち最大の主基板と水平方向に並んで配置されていることを特徴とする請求項１または２に記載の画像読み取り装置。
【請求項６】
第一密着型リニアイメージセンサと、
第二密着型リニアイメージセンサと、
前記第一密着型リニアイメージセンサの受光面と前記第二密着型リニアイメージセンサの受光面とを異なる方向に向けた姿勢で、前記第一密着型リニアイメージセンサと前記第二密着型リニアイメージセンサとを相共に移動させるキャリアと、
前記第一密着型リニアイメージセンサまたは前記第二密着型リニアイメージセンサにより読み取られた光学像を表す画像を印刷媒体に形成する印刷部と、
を備えることを特徴とする画像形成装置。
【請求項７】
前記第一密着型リニアイメージセンサは、透過原稿用であって、
前記第二密着型リニアイメージセンサは、反射原稿用であることを特徴とする請求項６に記載の画像形成装置。
【請求項８】
前記キャリアは、前記第一密着型リニアイメージセンサと前記第二密着型リニアイメージセンサとを搭載するキャリッジと、前記キャリッジを移動させるアクチュエータとを有し、
前記第一密着型リニアイメージセンサの受光面は、鉛直方向のいずれか一方を向いた姿勢で前記キャリッジに搭載され、
前記第二密着型リニアイメージセンサの受光面は、鉛直方向のいずれか他方を向いた姿勢で前記キャリッジに搭載されていることを特徴とする請求項６または７に記載の画像形成装置。
【請求項９】
前記第一密着型リニアイメージセンサに読み取られる透過原稿を照明する照明部を更に備え、
前記照明部は、前記第一密着型リニアイメージセンサの受光面を含む仮想平面よりも前記印刷部側に配置されていることを特徴とする請求項６から８のいずれか一項に記載の画像形成装置。
【請求項１０】
前記印刷部は、印刷媒体に向けてインクを噴射する印刷ヘッドと前記印刷ヘッドを搭載し移動可能な印刷キャリッジとを有し、
前記照明部の少なくとも一部は、前記印刷キャリッジの可動領域と水平方向に並んで配置されていることを特徴とする請求項９に記載の画像形成装置。
【請求項１１】
電子回路が形成されている基板と、
前記キャリアを収容する読み取りハウジングと、
前記印刷部と前記照明部と前記基板とを収容する印刷ハウジングと、を更に備え、
前記印刷部は、印刷媒体に向けてインクを噴射する印刷ヘッドと前記印刷ヘッドを搭載し移動可能な印刷キャリッジとを有し、
前記照明部と前記基板のうち最大の主基板とは、前記印刷キャリッジの可動領域と水平方向に並んで配置されていることを特徴とする請求項９に記載の画像形成装置。
【請求項１２】
前記キャリアを収容する読み取りハウジングと、
前記印刷部を収容し、前記読み取りハウジングを上部で支持する印刷ハウジングと、
前記印刷ハウジングの上部に設けられ原稿が載置される位置決め部と、を更に備え、
前記キャリアは、前記位置決め部に載置される原稿を読み取り可能な姿勢で前記第二密着型リニアイメージセンサを搭載する読み取りキャリッジを有することを特徴とする請求項６から８のいずれか一項に記載の画像入出力装置。
【請求項１３】
直線状に配列された第一受光素子群を有する第一イメージセンサと、
直線状に配列された第二受光素子群の受光面が前記第一受光素子群の受光面と異なる方向に向けて配置されている第二イメージセンサと、
第一対象物を前記第一受光素子群の受光面に結像させる第一レンズ部と、
前記第一対象物と異なる位置にある第二対象物の光学像を前記第二受光素子群の受光面に結像させる第二レンズ部と、
を備えることを特徴とする密着型リニアイメージセンサモジュール。
【発明の詳細な説明】
【技術分野】
【０００１】
本発明は画像読み取り装置、画像形成装置、及び密着型リニアイメージセンサモジュールに関する。
【背景技術】
【０００２】
従来、密着型リニアイメージセンサモジュールを搭載する画像読み取り装置が知られている。密着型リニアイメージセンサモジュールでは光学系の光路が短いため、画像読み取り装置の小型化が容易である。しかしながら反射原稿と透過原稿とを同じ原稿台に載置して読み取る画像読み取り装置では、原稿台を挟んだ密着型リニアイメージセンサモジュールと反対側、例えば原稿カバーなどに透過原稿を照明する照明部（透過原稿照明部）を配置する必要がある。そのため原稿台の密着型リニアイメージセンサモジュール側、例えば密着型リニアイメージセンサモジュールが収容されるハウジング内に透過原稿照明部を収容できる空隙があっても、その空隙に透過原稿照明部を配置することができない。つまり透過原稿照明部などの構造物の配置が制約される。
【０００３】
一方、特許文献１には、反射原稿台と透過原稿台と複数の光学系とを備え、反射原稿の読み取りと透過原稿の読み取りとで光路を変更する画像読み取り装置が開示されている。特許文献１に記載の画像読み取り装置では、反射原稿台と透過原稿台とを異なる位置に配置することができる。しかしながら特許文献１に記載の画像読取装置は、光学系の構成が複雑であり光路が長いため、製造コストが高く小型化に適さない。
【特許文献１】特開平８−２４９４５８号公報
【発明の開示】
【発明が解決しようとする課題】
【０００４】
本発明は、上記の問題に鑑みてなされたものであって、異なる位置に位置決めされた原稿を鮮明に読み取ることができ小型化が可能な画像読み取り装置、画像形成装置、及び異なる位置に位置決めされた原稿を鮮明に読み取ることができる画像読み取り装置または画像形成装置を小型化するための密着型リニアイメージセンサモジュールを提供することを目的とする。
【課題を解決するための手段】
【０００５】
上記目的を達成するための画像用看取り装置は、第一密着型リニアイメージセンサと、第二密着型リニアイメージセンサと、前記第一密着型リニアイメージセンサの受光面と前記第二密着型リニアイメージセンサの受光面とを異なる方向に向けた姿勢で、前記第一密着型リニアイメージセンサと前記第二密着型リニアイメージセンサとを相共に移動させるキャリアと、を備える。第一密着型リニアイメージセンサの受光面と第二密着型リニアイメージセンサの受光面とが異なる方向を向いているので、異なる位置に位置決めされた原稿を読み取ることができる。例えば反射原稿台に載置された反射原稿と、反射原稿台と異なる位置に配置されている透過原稿台に載置された透過原稿とを鮮明に読み取ることができる。また、第一密着型リニアイメージセンサに読み取られる原稿を照明する照明部と第二密着型リニアイメージセンサに読み取られる原稿を照明する照明部とを自由に配置できる。そのため画像読み取り装置を小型化することができる。
【０００６】
前記第一密着型リニアイメージセンサは、透過原稿用であって、前記第二密着型リニアイメージセンサは、反射原稿用であってもよい。
前記キャリアは、前記第一密着型リニアイメージセンサと前記第二密着型リニアイメージセンサとを搭載するキャリッジと、前記キャリッジを移動させるアクチュエータとを有し、前記第一密着型リニアイメージセンサの受光面は、鉛直方向のいずれか一方を向いた姿勢で前記キャリッジに搭載され、前記第二密着型リニアイメージセンサの受光面は、鉛直方向のいずれか他方を向いた姿勢で前記キャリッジに搭載されていてもよい。第一密着型リニアイメージセンサの受光面と第二密着型イメージセンサの受光面とは鉛直方向を向いているので、第一密着型リニアイメージセンサと第二密着型リニアイメージセンサとは、水平に位置決めされた原稿を鮮明に読み取ることができる。そのため例えば水平な原稿台を備えれば、原稿台の盤面に原稿を自重によって位置決めできる。そのため画像読み取り装置の操作性を向上させることができる。
【０００７】
前記第一密着型リニアイメージセンサに読み取られる透過原稿を照明する照明部を更に備え、前記キャリアは、前記第一密着型リニアイメージセンサと前記第二密着型リニアイメージセンサとを搭載するキャリッジと、前記キャリッジを移動させるアクチュエータとを有し、前記照明部の少なくとも一部は、前記アクチュエータと水平方向に並んで配置されてもよい。照明部の少なくとも一部をアクチュエータと水平方向に並んで配置するため、画像読み取り装置の全高を抑えることができる。
【０００８】
前記第一密着型リニアイメージセンサに読み取られる透過原稿を照明する照明部と、電子回路が形成されている少なくとも１つの基板とを更に備え、前記照明部の少なくとも一部は、前記基板のうち最大の主基板と水平方向に並んで配置されてもよい。照明部の少なくとも一部を基板のうち最大の主基板と水平方向に並んで配置するため、画像読み取り装置の全高を抑えることができる。
【０００９】
上記目的を達成するための画像形成装置は、第一密着型リニアイメージセンサと、第二密着型リニアイメージセンサと、前記第一密着型リニアイメージセンサの受光面と前記第二密着型リニアイメージセンサの受光面とを異なる方向に向けた姿勢で、前記第一密着型リニアイメージセンサと前記第二密着型リニアイメージセンサとを相共に移動させるキャリアと、前記第一密着型リニアイメージセンサまたは第二密着型リニアイメージセンサにより読み取られた光学像を表す画像を印刷媒体に形成する印刷部と、を備える。第一密着型リニアイメージセンサの受光面と第二密着型リニアイメージセンサの受光面とが異なる方向を向いているので、異なる位置に位置決めされた原稿を鮮明に読み取ることができる。また、第一密着型リニアイメージセンサの受光面の向きと第二密着型リニアイメージセンサの受光面の向きとを自由に設計できる。そのため画像形成装置を小型化することができる。
【００１０】
前記第一密着型リニアイメージセンサは、透過原稿用であって、前記第二密着型リニアイメージセンサは、反射原稿用であってもよい。
前記キャリアは、前記第一密着型リニアイメージセンサと前記第二密着型リニアイメージセンサとを搭載するキャリッジと、前記キャリッジを移動させるアクチュエータとを有し、前記第一密着型リニアイメージセンサの受光面は、鉛直方向のいずれか一方を向いた姿勢で前記キャリッジに搭載され、前記第二密着型リニアイメージセンサの受光面は、鉛直方向のいずれか他方を向いた姿勢で前記キャリッジに搭載されてもよい。第一密着型リニアイメージセンサの受光面と第二密着型イメージセンサの受光面とは鉛直方向を向いているので、第一密着型リニアイメージセンサと第二密着型リニアイメージセンサとは、水平に位置決めされた原稿を鮮明に読み取ることができる。
【００１１】
前記第一密着型リニアイメージセンサに読み取られる透過原稿を照明する照明部を更に備え、前記照明部は、前記第一密着型リニアイメージセンサの受光面を含む仮想平面よりも前記印刷部側に配置されてもよい。一般に読み取り部と印刷部とを備える画像形成装置では、印刷部側に空隙ができることが多い。本発明の画像形成装置によれば、照明部を第一密着型リニアイメージセンサの受光面を含む仮想平面よりも印刷部側に配置するため、印刷部側に照明部を配置できる空隙があれば、画像形成装置を小型化できる。
【００１２】
前記印刷部は、印刷媒体に向けてインクを噴射する印刷ヘッドと前記印刷ヘッドを搭載し移動可能な印刷キャリッジとを有し、前記照明部の少なくとも一部は、前記印刷キャリッジの可動領域と水平方向に並んで配置されてもよい。一般に印刷ヘッドを搭載する印刷キャリッジの水平方向の可動領域は、第一密着型リニアイメージセンサ及び第二密着型リニアイメージセンサの水平方向の可動領域よりも狭くなる。本発明の画像形成装置によれば、照明部の少なくとも一部を印刷キャリッジの可動領域と水平方向に並んで配置するため、画像形成装置の全高を抑えることができる。
【００１３】
電子回路が形成されている基板と、前記キャリアを収容する読み取りハウジングと、前記印刷部と前記照明部と前記基板とを収容する印刷ハウジングと、を更に備え、前記印刷部は、印刷媒体に向けてインクを噴射する印刷ヘッドと前記印刷ヘッドを搭載し移動可能な印刷キャリッジとを有し、前記照明部と前記基板のうち最大の主基板とは、前記印刷キャリッジの可動領域と水平方向に並んで配置されてもよい。一般に読み取り部と印刷部とを備える画像形成装置では、印刷部を収容する印刷ハウジングに読み取りハウジングよりも大きな空隙ができることが多い。本発明の画像形成装置によれば、照明部と基板のうち最大の主基板とを印刷キャリッジの可動領域と水平方向に並んで配置するため、印刷ハウジングに主基板を収容可能な空隙があれば、画像形成装置を小型化できる。
【００１４】
前記キャリアを収容する読み取りハウジングと、前記印刷部を収容し、前記読み取りハウジングを上部で支持する印刷ハウジングと、前記印刷ハウジングの上部に設けられ原稿が載置される位置決め部と、を更に備え、前記キャリアは、前記位置決め部に載置される原稿を読み取り可能な姿勢で前記第二密着型リニアイメージセンサを搭載する読み取りキャリッジを有してもよい。印刷ハウジングの上部に設けられた位置決め部に載置される原稿を、印刷ハウジングの上部で支持されている読み取りハウジングに収容されている第二密着型リニアイメージセンサで、原稿の上方から読み取ることができる。そのため本発明の画像形成装置によれば、原稿の読み取り面を目視しながら位置決め部に原稿を載置できる。
【００１５】
上記目的を達成するための密着型リニアイメージセンサモジュールは、直線状に配列された第一受光素子群を有する第一イメージセンサと、直線状に配列された第二受光素子群の受光面が前記第一受光素子群の受光面と異なる方向に向けて配置されている第二イメージセンサと、第一対象物を前記第一受光素子群の受光面に結像させる第一レンズ部と、前記第一対象物と異なる位置にある第二対象物の光学像を前記第二受光素子群の受光面に結像させる第二レンズ部と、を備える。第一受光素子群の受光面と第二受光素子群の受光面とが異なる方向を向いているので、異なる位置に位置決めされた原稿を鮮明に読み取ることができる。
【発明を実施するための最良の形態】
【００１６】
以下、本発明の実施の形態を複数の実施例に基づいて説明する。
（第一実施例）
図２は、本発明の第一実施例によるイメージスキャナ１を示す模式図である。画像読取装置としてのイメージスキャナ１は所謂フラットベット型のイメージスキャナである。イメージスキャナ１は、Ａ４サイズ及びＡ４レターサイズまでの反射原稿４と透過原稿とを読み取ることができる。反射原稿４は、印刷文書、写真等である。透過原稿は３５ｍｍフィルム（ネガ／ポジフィルム）６等である。以降では、透過原稿は３５ｍｍフィルム６として説明するが、透過原稿は３５ｍｍフィルム６に限定されない。
【００１７】
図２に示すようにハウジング８は、上方が開口した箱形に形成されており、開口側に反射原稿台１０を支持している。反射原稿台１０は概ね矩形のガラス板などの透明な板から形成されている。反射原稿台１０の盤面１０ａには反射原稿４が載置される。ハウジング８には、スキャナキャリッジ２２、モータ１７、主基板１９、透過原稿照明部１８などが収容されている。原稿カバー１３は、図示しないヒンジによりハウジング８に揺動可能に連結されている。
スキャナキャリッジ２２はガイドロッド２０により摺動可能に保持されている。スキャナキャリッジ２２は、アクチュエータとしてのモータ１７に駆動される駆動ベルトに牽引されて、ガイドロッド２０の中心軸線方向に往復移動する。スキャナキャリッジ２２、ガイドロッド２０、モータ１７、および駆動ベルトが特許請求の範囲に記載のキャリアの構成要素に相当する。ここでモータ１７の実装領域は他の部品と比較して大きい。そのためハウジング８内部のモータ１７の実装領域と水平方向に並ぶ領域には、ハウジング８内部の他の領域と比較して、大きな空隙が形成されやすい。スキャナキャリッジ２２には、密着型リニアイメージセンサモジュール２が搭載されている。
【００１８】
図１および図３は、密着型リニアイメージセンサモジュール２を説明するための模式図である。図３（Ａ）は密着型リニアイメージセンサモジュール２の平面図である。図３（Ａ）では、ケース３と第一ロッドレンズアレイ２６と第二ロッドレンズアレイ２８とを図示していない。図３（Ｂ）は密着型リニアイメージセンサモジュール２の断面図である。図３（Ｂ）は、ケース３の一部を切りかいた密着型リニアイメージセンサモジュール２の断面図である。
密着型リニアイメージセンサモジュール２は、第一イメージセンサ３０と第二イメージセンサ３２と第一ロッドレンズアレイ２６と第二ロッドレンズアレイ２８と反射原稿用光源２４とを搭載している。第一イメージセンサ３０と第一ロッドレンズアレイ２６とが特許請求の範囲に記載の第一密着型リニアイメージセンサの構成要素に相当する。第二イメージセンサ３２と第二ロッドレンズアレイ２８とが特許請求の範囲に記載の第二密着型リニアイメージセンサの構成要素に相当する。
【００１９】
第一イメージセンサ３０は基板４０に実装されている。第一イメージセンサ３０は、直線状に一列に配列された複数の第一受光素子３１、ＭＯＳトランジスタスイッチ等を有する。第一イメージセンサ３０は、第一ロッドレンズアレイ２６より結像される反射原稿４の光学像を走査し、その光学像の濃淡に相関する電気信号を出力する。これにより反射原稿４の光学像を画像信号に変換する。
【００２０】
第二イメージセンサ３２は、後述する第二受光素子３３の受光面が第一イメージセンサ３０の第一受光素子３１の受光面と異なる方向に向けた姿勢で、基板４０に実装されている。詳細については後述する。第二イメージセンサ３２は、第一イメージセンサ３０の第一受光素子３１に平行に三列に配列された複数の第二受光素子３３、ＭＯＳトランジスタスイッチ等を有し、その列毎に異なる色のカラーフィルタ３４が設けられている。具体的には例えば、カラーフィルタ３４は、赤色光を透過させるフィルタ（赤色フィルタ）３４ｒ、緑色光を透過させるフィルタ（緑色フィルタ）３４ｇ、及び青色光を透過させるフィルタ（青色フィルタ）３４ｂである。これにより、透過原稿照明部１８から放射された白色光を赤色の光と緑色の光と青色の光とに色分解できる。第二イメージセンサ３２は、第二ロッドレンズアレイ２８より結像される３５ｍｍフィルム６の光学像を走査することにより、その光学像の濃淡に相関する電気信号を出力する。これにより３５ｍｍフィルム６の光学像を画像信号に変換する。尚、カラーフィルタ３４は第二イメージセンサ３２に設けられている（オンチップカラーフィルタ）として説明したが、第二イメージセンサ３２と別の部品でもよい。
【００２１】
第一受光素子３１の受光面と第二受光素子３３の受光面とは、スキャナキャリッジ２２がハウジング８に収容された状態で、それぞれ鉛直方向上向きと鉛直方向下向きである。そのため第一イメージセンサ３０は、スキャナキャリッジ２２の上方に設けられている反射原稿台１０に載置された反射原稿４の光学像を鮮明に読み取ることができる（図１（Ａ）参照）。また第二イメージセンサ３２は、スキャナキャリッジ２２の下方に設けられている透過原稿台１１に載置された３５ｍｍフィルム６の光学像を鮮明に読み取ることができる（図１（Ｂ）参照）。尚、第一受光素子３１の受光面の向きは鉛直上向きに限定されず、第二受光素子３３の受光面の向きは鉛直下向きに限定されない。
【００２２】
図３に示すように、第一イメージセンサ３０と第一ロッドレンズアレイ２６と反射原稿用光源２４とはそれぞれの長手方向の中央を基準に整列して配置されている。第二イメージセンサ３２と第一イメージセンサ３０とはそれぞれの長手方向の一端を基準に整列して配置されている。第二ロッドレンズアレイ２８と第二イメージセンサ３２とはそれぞれの長手方向の中央を基準に整列して配置されている。尚、密着型リニアイメージセンサモジュール２の構成要素の配置は上述の配置に限定されない。例えば第二イメージセンサ３２と第二ロッドレンズアレイ２８とを、第一イメージセンサ３０の長手方向の中央を基準に整列して配置してもよい。
【００２３】
第一イメージセンサ３０の長手方向の幅と第二イメージセンサ３２の長手方向の幅とは異なる。具体的には例えば、第一イメージセンサ３０に配列される第一受光素子３１の配列範囲の長手方向の幅は、Ａ４サイズの原稿が読み取り可能な２１８ｍｍである。第二イメージセンサ３２に配列される第二受光素子３３の配列範囲の長手方向の幅は、３５ｍｍフィルムが読み取り可能な２７ｍｍである。尚、第一イメージセンサ３０と第二イメージセンサ３２の長手方向の幅は原稿幅に応じて設計すればよく、それぞれ２１８ｍｍと２７ｍｍとに限定されない。例えば第一イメージセンサ３０と第二イメージセンサ３２の長手方向の幅は同一幅でもよい。
【００２４】
反射原稿用光源２４および第一ロッドレンズアレイ２６の長手方向の幅は、第一受光素子３１の配列範囲の長手方向の幅に基づいて設計されている。第二ロッドレンズアレイ２８の長手方向の幅は、第二受光素子３３の配列範囲の長手方向の幅に基づいて設計されている。
第一イメージセンサ３０および第二イメージセンサ３２の解像度は、イメージスキャナ１の仕様に応じて設計される。例えば第一イメージセンサ３０の解像度は、反射原稿４に記録されている画像情報を十分に再現できる１２００ｄｐｉである。例えば第二イメージセンサ３２の解像度は、３５ｍｍフィルム６に記録されている画像情報を十分に再現できる２４００ｄｐｉである。尚、第一イメージセンサ３０の解像度と第二イメージセンサ３２の解像度とは、それぞれ１２００ｄｐｉと２４００ｄｐｉとに限定されない。例えば第一イメージセンサ３０および第二イメージセンサ３２の解像度は、２４００ｄｐｉの同一解像度でもよい。
【００２５】
反射原稿用光源２４は、特定の色の光を発光するＬＥＤおよび導光体を備える。具体的には例えば、反射原稿用光源２４は、カラー画像を読み取るための赤色の光を発光するＬＥＤ（赤色ＬＥＤ）、緑色の光を発光するＬＥＤ（緑色ＬＥＤ）、及び青色の光を発光するＬＥＤ（青色ＬＥＤ）を備える。ＬＥＤから放射された光は、導光体により反射原稿台１０側に導かれて反射原稿４を照明する。図示しない導光体は、ガラスなどの光透過性の部材で形成されている。尚、反射原稿用光源２４は蛍光ランプ等で構成してもよい。
【００２６】
図１に示すように第一レンズ部としての第一ロッドレンズアレイ２６は、直線状に配列された複数の円柱形状のレンズ（ロッドレンズ）３６を有する。第一ロッドレンズアレイ２６は、反射原稿用光源２４に照明された走査線上の反射原稿４の光学像を、第一ロッドレンズ３６により第一イメージセンサ３０に配列されている第一受光素子３１の受光面に等倍で結像する。第一ロッドレンズアレイ２６の焦点距離および第一ロッドレンズアレイ２６と第一イメージセンサ３０との間隔は、第一ロッドレンズアレイ２６により第一イメージセンサ３０の受光面に光学像が鮮明に結像される原稿の位置（焦点位置）が反射原稿台１０の盤面１０ａ、すなわち反射原稿４の読み取り面になるように設計されている。そのためイメージスキャナ１は、反射原稿台１０に盤面１１ａに載置される反射原稿４を鮮明に読み取ることができる。
【００２７】
第二レンズ部としての第二ロッドレンズアレイ２８は、第一ロッドレンズアレイ２６と同様の構成であり、第二ロッドレンズ３８を有する。第二ロッドレンズアレイ２８は、透過原稿照明部１８から照射され３５ｍｍフィルム６を透過した光による走査線上の光学像を、第二イメージセンサ３２に配列されている第二受光素子３３の受光面に等倍で結像する。第二ロッドレンズアレイ２８の焦点距離および第二ロッドレンズアレイ２８と第二イメージセンサ３２との間隔は、第一ロッドレンズアレイ２６による焦点位置が透過原稿台１１に載置される３５ｍｍフィルム６の読み取り面になるように設計されている。そのためイメージスキャナ１は、透過原稿台１１に載置された３５ｍｍフィルム６を鮮明に読み取ることができる。
【００２８】
第二イメージセンサ３２の下方には、３５ｍｍフィルム６を位置決めするための透過原稿台１１が設けられている。透過原稿台１１の盤面１１ａにはホルダ１４に保持された３５ｍｍフィルム６が載置される。透過原稿台１１の上方には透過板１２が設けられている。透過原稿台１１および透過板１２は、ガラス板などの透明な板から形成されている。これにより、後述する透過原稿照明部１８から放射され、透過原稿台１１、３５ｍｍフィルム６、透過板１２を透過した光による３５ｍｍフィルム６の光学像を第二イメージセンサ３２で読み取ることができる。また透過原稿台１１および透過板１２はハウジング８内部への塵埃の進入を阻止する。      
【００２９】
イメージスキャナ１に含まれる電子部品が実装される基板のうち最大の基板である主基板１９は、モータ１７と水平方向に並んで配置されている。そのためイメージスキャナ１の全高を抑えることができる。尚、主基板１９はモータ１７と水平方向に並んで配置されることが望ましいが、主基板１９の配置はこれに限定されない。
【００３０】
照明部としての透過原稿照明部１８は、モータ１７と水平方向に並んで配置されている。そのためイメージスキャナ１の全高を抑えることができる。透過原稿照明部１８は、透過原稿台１１の下方に位置し、３５ｍｍフィルム６を下方から照明する。透過原稿照明部１８は、所謂白色光源であり、図示しない蛍光管ランプ、リフレクタ、拡散板、インバータ回路等を備える。蛍光ランプから放射された光は、リフレクタで反射し、拡散板によって拡散され、３５ｍｍフィルム６の読み取り領域を均一な照度で照明する。尚、蛍光ランプは、ＬＥＤ（発光ダイオード）でもよい。また透過原稿照明部１８はモータ１７と水平方向に並んで配置されることが望ましいが、透過原稿照明部１８の配置はこれに限定されない。
【００３１】
図１（Ａ）に示すように反射原稿４を読み取る処理には、反射原稿用光源２４と第一ロッドレンズアレイ２６と第一イメージセンサ３０とが使用される。第一イメージセンサ３０は、反射原稿用光源２４から放射され反射原稿４で反射した光による光学像を読み取る。
図１（Ｂ）に示すように３５ｍｍフィルム６を読み取る処理には、透過原稿照明部１８と第二ロッドレンズアレイ２８と第二イメージセンサ３２とが使用される。第二イメージセンサ３２は、透過原稿照明部１８から放射され３５ｍｍフィルム６を透過した光による光学像を読み取る。
【００３２】
以上説明した本発明の第一実施例に係るイメージスキャナ１によると、スキャナキャリッジ２２がハウジング８に収容された状態で、第一受光素子３１の受光面を鉛直方向上向きにして、スキャナキャリッジ２２に第一イメージセンサ３０を搭載している。そのため、スキャナキャリッジ２２の上方に設けられている反射原稿台１０の盤面１０ａに載置された反射原稿４の光学像を鮮明に読み取ることができる。また、第二受光素子３３の受光面を鉛直方向下向きにして、スキャナキャリッジ２２に第二イメージセンサ３２を搭載している。そのため、スキャナキャリッジ２２の下方に設けられている透過原稿台１１の盤面１１ａに載置された３５ｍｍフィルム６の光学像を鮮明に読み取ることができる。つまり異なる位置に位置決めされた反射原稿４と３５ｍｍフィルム６とを鮮明に読み取ることができる。そのため反射原稿４または３５ｍｍフィルム６のいずれか一方の原稿を読み取るときに、いずれか他方の原稿を取り除く必要がない。
【００３３】
また一般にホルダに保持された３５ｍｍフィルム等の透過原稿の読み取り面は、原稿台の盤面から離れた位置に位置決めされる。そのため反射原稿と透過原稿とを同一の原稿台に載置するイメージスキャナでは、ホルダに保持された３５ｍｍフィルム等の光学像を鮮明に読み取ることができない。しかしながら、本発明の第一実施例に係るイメージスキャナ１によると、第一ロッドレンズアレイ２６による焦点位置は反射原稿４の読み取り面に、第二ロッドレンズアレイ２８による焦点位置はホルダ１４に保持された３５ｍｍフィルム６の読み取り面に設計されているため、反射原稿４の光学像とホルダ１４に保持された３５ｍｍフィルム６の光学像とを鮮明に読み取ることができる。
【００３４】
また一般に反射原稿と透過原稿とを同じ原稿台に載置して読み取るイメージスキャナでは、原稿台を挟んだ密着型リニアイメージセンサモジュールと反対側に透過原稿照明部を配置する必要がある。そのため、例えば透過原稿照明部を原稿カバーに搭載するイメージスキャナでは、原稿カバーを小型化することができない。また、反射原稿用の原稿カバーと透過原稿照明部を搭載する透過原稿用の原稿カバーとを原稿の種類に応じて取り替えるイメージスキャナでは、透過原稿照明部とイメージスキャナの本体とを電気的に接続するケーブルを脱着する必要がある。一方、透過原稿照明部を搭載する原稿カバーを反射原稿の読み取りと透過原稿の読み取りとに使用するイメージスキャナでは、原稿カバーに脱着可能な原稿マットを、反射原稿の読み取り時には取り付け、透過原稿の読み取り時には取り外す必要がある。
しかしながら本発明の第一実施例に係るイメージスキャナ１によると、第二受光素子３３の受光面を鉛直方向下向きにして、スキャナキャリッジ２２に第二イメージセンサ３２を搭載しているため、透過原稿照明部１８をスキャナキャリッジ２２の下方に配置することができる。つまりハウジング８に透過原稿照明部１８を収容することができる。
また、透過原稿照明部１８は、実装領域の大きいモータ１７と水平方向に並んで配置される。そのためイメージスキャナ１の全高を抑えることができる。
【００３５】
尚、画像読み取り装置としてのフラットベッド型のイメージセンサについて説明したが、画像読み取り装置はこれに限定されない。
また主基板１９の実装領域および透過原稿照明部１８の実装領域の全領域がモータ１７の実装領域と水平方向に並んで配置される例を図示して説明したが、主基板１９の実装領域または透過原稿照明部１８の実装領域の一部領域をモータ１７の実装領域と水平方向に並べて配置してもよい。
（第二実施例）
図４は、第二実施例による複合機１００を説明するための模式図である。第二実施例による複合機１００は、読み取り部１０１と印刷部１０２とを備える。読み取り部１０１は、第一実施例に係る密着型リニアイメージセンサモジュール２を備え、反射原稿４と３５ｍｍフィルム６とを読み取ることができる。印刷部１０２は、読み取り部１０１により読み取られた画像を印刷用紙などの印刷媒体１０３に印刷することができる。尚、第二実施例では第一実施例と実質的に同一な部分については同一の符号を付して説明を省略する。
【００３６】
読み取り部１０１は、スキャナキャリッジ２２、密着型リニアイメージセンサモジュール２、透過原稿照明部１８等を備える。印刷部１０２は、プリンタキャリッジ１２４、印刷ヘッド１２５、送紙ローラ１２６、排紙ローラ１２７、プラテン１２８等を備える。
【００３７】
読み取りハウジングとしてのスキャナハウジング１１０は、図示しないヒンジによってプリンタハウジング１２０に揺動可能に連結されている。スキャナハウジング１１０は、上方が開口した箱形に形成されており、開口側に反射原稿台１０を支持している。スキャナキャリッジ２２には、密着型リニアイメージセンサモジュール２が第一実施例と同様の姿勢で搭載されている。第二イメージセンサ３２の下方には透過板１２が設けられている。透過板１２はスキャナハウジング１１０内部への塵埃の進入を阻止する。
【００３８】
印刷ハウジングとしてのプリンタハウジング１２０は、上方が一部開口した箱形に形成されている。プリンタハウジング１２０の側壁には給紙口１２２が設けられている。印刷部１０２により画像が印刷される印刷媒体１０３は、給紙口１２２から供給される。給紙口１２２から供給された印刷媒体１０３は、送紙ローラ１２６によって印刷ヘッド１２５とプラテン１２８の間に搬送される。給紙口１２２が設けられている側壁に対向する側壁には、排紙口１２３が設けられている。印刷部１０２によって画像が印刷された印刷媒体１０３は、排紙ローラ１２７によって搬送され、排紙口１２３からプリンタハウジング１２０外へ排出される。
【００３９】
図４に示すようにスキャナハウジング１１０がプリンタハウジング１２０の上部を覆う状態（全閉状態）において、プリンタハウジング１２０の透過板１２直下の部位には、透過原稿台１１が設けられている。透過原稿台１１の盤面１１ａには３５ｍｍフィルム６が載置される。
プリンタハウジング１２０には、プリンタキャリッジ１２４、印刷ヘッド１２５、送紙ローラ１２６、排紙ローラ１２７、プラテン１２８、透過原稿照明部１８、主基板１９などが収容されている。ここで主基板１９とは、複合機１００に含まれる電子部品が実装される基板のうち最大の基板である。
プリンタキャリッジ１２４は、棒状のガイドロッド１２９により摺動自在に支持されている。プリンタキャリッジ１２４は、図示しないモータに駆動される駆動ベルトによって牽引されて、ガイドロッド１２９の中心軸線方向に往復移動する。
プリンタキャリッジ１２４の下端には、印刷ヘッド１２５が設けられている。印刷ヘッド１２５は、図示しないインクカートリッジに貯蔵されているインクを噴孔から噴射する。尚、印刷部１０２の印刷方式は印刷ヘッド１２５からインクを噴射する方式に限定されない。例えば印刷部１０２の印刷方式はレーザー方式でもよい。
【００４０】
印刷媒体１０３をプラテン１２８上に静止させた状態でプリンタキャリッジ１２４を移動させながら印刷ヘッド１２５からインク滴を噴射すると、印刷媒体１０３に直線状にインク滴が定着する。送紙ローラ１２６および排紙ローラ１２７によって印刷媒体１０３を所定距離移動させる動作と、印刷媒体１０３に直線状にインク滴を定着させる動作とを交互に繰り返すことによって、印刷媒体１０３に二次元の画像を形成することができる。
【００４１】
図５は、スキャナキャリッジ２２の水平方向の可動領域ＳＡ２とプリンタキャリッジ１２４の水平方向の可動領域ＰＡ２との関係を説明するための模式図である。印刷媒体１０３を所定距離移動させる動作と印刷媒体１０３に直線状にインク滴を定着させる動作とにより画像を形成する印刷ヘッド１２５の主走査方向の幅は、第一イメージセンサ３０の長手方向の幅（２１８ｍｍ）よりも短い。そのためプリンタキャリッジ１２４の水平方向の可動領域ＰＡ２は、スキャナキャリッジ２２の水平方向の可動領域ＳＡ２と比較して狭くなる。つまりプリンタハウジング１２０内部のプリンタキャリッジ１２４の可動領域ＰＡ１と水平方向に並ぶ領域には、プリンタハウジング１２０内部の他の領域と比較して、大きな空隙が形成されやすい。そのため透過原稿照明部１８および主基板１９は、プリンタキャリッジ１２４の可動領域ＰＡ１と水平方向に並べて配置されることが望ましい。
透過原稿照明部１８は、プリンタキャリッジ１２４の可動領域ＰＡ１と水平方向に並べて透過原稿台１１の下方に配置されている。主基板１９は、プリンタキャリッジ１２４の可動領域ＰＡ１と水平方向に並べて配置されている。これにより、複合機１００の全高を抑えることができる。
【００４２】
以上説明した本発明の第二実施例に係る複合機１００によると、スキャナキャリッジ２２に第一実施例と同様の姿勢で密着型リニアイメージセンサモジュール２を搭載しているため、読み取り部１０１は第一実施例に係るイメージスキャナ１と同様の効果を奏する。
また、透過原稿照明部１８と主基板１９とをプリンタキャリッジ１２４の可動領域ＰＡ１と水平方向に並べてプリンタハウジング１２０内に配置しているため、複合機１００の全高を抑えることができる。
【００４３】
（第三実施例）
第三実施例による複合機２００では、透過原稿照明部１８をプリンタキャリッジ１２４の可動領域ＰＡ１と水平方向に並べてスキャナハウジング２１０内に収容している。尚、第三実施例では第一実施例または第二実施例と実質的に同一な部分については同一の符号を付して説明を省略する。
図６は、複合機２００を説明するための模式図である。
スキャナハウジング２１０には、スキャナキャリッジ２２、透過原稿照明部１８などが収容されている。スキャナキャリッジ２２には、密着型リニアイメージセンサモジュール２が第一実施例と同様の姿勢で搭載されている。スキャナハウジング２１０の底の一部は、プリンタキャリッジ１２４の可動領域ＰＡ１と水平方向に並ぶように、プリンタハウジング２２０側に突出している。スキャナハウジング２１０内の底がプリンタハウジング２２０側に突出する部分の上方には、第二イメージセンサ３２が位置している。
【００４４】
スキャナハウジング２１０の底がプリンタハウジング２２０側に突出する部分には、透過原稿台１１と透過板１２とが第一実施例と同様の位置関係で設けられている。
透過原稿照明部１８は、スキャナハウジング２１０内の底がプリンタハウジング２２０側に突出する部分に収容されている。透過原稿照明部１８は、プリンタキャリッジ１２４の可動領域ＰＡ１と水平方向に並んで、透過原稿台１１の下方に配置されている。
【００４５】
以上説明した本発明の第二実施例に係る複合機１００によると、スキャナハウジング２１０の底の一部をプリンタハウジング２２０側に突出させ、スキャナハウジング２１０内の底がプリンタハウジング２２０側に突出する部分に、プリンタキャリッジ１２４の可動領域ＰＡ１と水平方向に並んで、透過原稿照明部１８を配置している。そのため複合機２００の全高を抑えることができる。
【００４６】
（第四実施例）
第四実施例による複合機３００では、スキャナハウジング３１０に密着型リニアイメージセンサモジュール２を第一実施例と上下逆の姿勢で収容している。複合機３００では、プリンタハウジング３２０の上部に反射原稿台３２１が設けられ、反射原稿台３２１に載置された反射原稿４の光学像を密着型リニアイメージセンサモジュール２の第一イメージセンサ３０で反射原稿４の上方から読み取る。尚、第四実施例では第一実施例から第三実施例と実質的に同一な部分については同一の符号を付して説明を省略する。
【００４７】
図７は、複合機３００を説明するための模式図である。
スキャナハウジング３１０は、図示しないヒンジによりプリンタハウジング３２０に揺動可能に連結されている。スキャナハウジング３１０にはスキャナキャリッジ２２が収容されている。スキャナキャリッジ２２には、第一実施例と上下逆の姿勢で密着型リニアイメージセンサモジュール２が搭載されている。具体的には、第一受光素子３１の受光面と第二受光素子３３の受光面とは、スキャナキャリッジ２２がハウジング８に収容された状態で、それぞれ鉛直方向下向きと鉛直方上向きである。
スキャナハウジング３１０の第二イメージセンサ３２の上方には、透過原稿台１１が設けられている。これにより透過原稿台１１の盤面１１ａに載置された３５ｍｍフィルム６を透過した光による光学像を第二イメージセンサ３２で読み取ることができる。スキャナハウジング３１０の第一イメージセンサ３０の下方には透過板３１１が設けられている。透過原稿台１１および透過板３１１は、スキャナハウジング３１０内部への塵埃の進入を阻止する。
【００４８】
透過原稿ユニットハウジング３３０は、図示しないヒンジによりスキャナハウジング３１０に揺動可能に連結されている。透過原稿ユニットハウジング３３０が透過原稿台１１を覆う全閉状態において、透過原稿ユニットハウジング３３０の透過原稿台１１直上の部位には、透過板１２が設けられている。透過原稿照明部１８は、透過原稿ユニットハウジング３３０内の透過板１２の上方に収容されている。これにより透過原稿台１１の盤面１１ａに載置されている３５ｍｍフィルム６を透過原稿照明部１８によって照明することができる。
プリンタハウジング３２０は反射原稿台３２１を支持している。反射原稿台３２１は、スポンジなどの弾性部材とプラスチックなどの樹脂製の白い板部材とで構成されている。反射原稿台３２１の盤面３２１ａには反射原稿４が載置される。
【００４９】
反射原稿４の読み取りでは、スキャナハウジング３１０を全閉状態にして、スキャナハウジング３１０に搭載されている密着型リニアイメージセンサモジュール２の第一イメージセンサ３０で、反射原稿台３２１に載置された反射原稿４の光学像を読み取る。反射原稿４を上方から読み取るため、反射原稿４の読み取り面は上方を向いている。
【００５０】
以上説明した本発明の第四実施例に係る複合機３００によると、読み取り面を上方に向けて反射原稿台３２１に反射原稿４を載置できるため、反射原稿４の読み取り面を目視しながら、反射原稿台３２１に反射原稿４を位置決めできる。
尚、上記第二実施例から第四実施例では、画像形成装置としての複合機１００、２００、および３００を例示して説明したが、画像形成装置は複合機に限定されない。例えば画像形成装置は、複写機、複写機能付きのＦＡＸ等でもよい。
また主基板１９の実装領域および透過原稿照明部１８の実装領域の全領域がプリンタキャリッジ１２４の可動領域ＰＡ１と水平方向に並んで配置される例を図示して説明したが、主基板１９の実装領域または透過原稿照明部１８の実装領域の一部領域をモータ１７の実装領域と水平方向に並べて配置してもよい。
【００５１】
また、上記複数の実施例では、第一イメージセンサ３０は直線状に一列に配列された複数の第一受光素子３１を有するとして説明したが、第二イメージセンサ３２のように直線状に三列に配列された複数の第一受光素子３１を有し、その列毎に異なる色のカラーフィルタが設けられていてもよい。そのときは、反射原稿用光源２４は透過原稿照明部１８のように白色光源でよい。
また第二イメージセンサ３２は直線状に三列に配列された複数の第二受光素子３３を有するとして説明したが、第一イメージセンサ３０のように直線状に一列に配列された複数の第二受光素子３３を有していてもよい。そのときは、透過原稿照明部１８は反射原稿用光源２４のように赤色ＬＥＤ、緑色ＬＥＤ、青色ＬＥＤを備えればよい。
また、上記複数の実施例では、反射原稿４と透過原稿としての３５ｍｍフィルム６とを読み取ることができるイメージスキャナ１と複合機１００と複合機２００と複合機３００とについて説明したが、イメージスキャナ１と複合機１００と複合機２００と複合機３００とは、二種類の異なる反射原稿を読み取れてもよいし、二種類の異なる透過原稿を読み取れてもよい。
【図面の簡単な説明】
【００５２】
【図１】密着型リニアイメージセンサモジュール周辺の模式図である。
【図２】本発明の第一実施例に係るイメージスキャナの模式図である。
【図３】密着型リニアイメージセンサモジュールを説明するための模式図である。
【図４】本発明の第二実施例に係る複合機の模式図である。
【図５】スキャナキャリッジとプリンタキャリッジの可動領域を示す模式図である。
【図６】本発明の第三実施例に係る複合機の模式図である。
【図７】本発明の第四実施例に係る複合機の模式図である。
【符号の説明】
【００５３】
１  イメージスキャナ（画像読み取り装置）、２  密着型リニアイメージセンサモジュール、４  反射原稿、６  ３５ｍｍフィルム（透過原稿）、１７  モータ（アクチュエータ）、１８  透過原稿照明部（照明部）、１９  主基板、２２  スキャナキャリッジ（読み取りキャリッジ）、２４  反射原稿用光源、２６  第一ロッドレンズアレイ（第一レンズ部、第一密着型リニアイメージセンサ）、２８  第二ロッドレンズアレイ（第二レンズ部、第二密着型リニアイメージセンサ）、３０  第一イメージセンサ（第一密着型リニアイメージセンサ）、３１  第一受光素子、３２  第二イメージセンサ（第二密着型リニアイメージセンサ）、３３  第二受光素子、１００、２００、３００  複合機（画像形成装置）、１０２  印刷部、１０３  印刷媒体、１１０、２１０、３１０  スキャナハウジング（読み取りハウジング）、１２０、２２０、３２０  プリンタハウジング（印刷ハウジング）、１２４  プリンタキャリッジ（印刷キャリッジ）、１２５  印刷ヘッド、３２１  反射原稿台（位置決め部）、ＰＡ１  可動領域（印刷キャリッジの可動領域）
【図１】
2006025309.tif 000003
【図２】
2006025309.tif 000004
【図３】
2006025309.tif 000005
【図４】
2006025309.tif 000006
【図５】
2006025309.tif 000007
【図６】
2006025309.tif 000008
【図７】
2006025309.tif 000009